(57)【要約】      （修正有）【課題】柄が長いと、フライパンが重たくなるが、遠くから、火の近くで振る必要がなく、解決する。【解決手段】フライパンの柄１を、輪柄にする。フライパン３の鍵状の凸部アーム４に、凹部のアーム２を、差し込み、安定金具６と７を、レールに、受け棒アーム５の両側にスライドさせて取り付け、取り外せるようにする。輪柄を、大きくすることで、遠くから楽に火の近くで振る必要がなく、吊り下げてフライパンを、軽く操作できるようになる。輪柄フライパンは、レバー、足踏み、モーターがある。輪柄フライパンの柄の取っ手の中に、真棒を設け二重にする。その真棒を輪柄の取っ手１の中で管の中のワイヤーで、吊り上げ、回転させフライパンを振ることが出来る。【選択図】図４
2015186559.tif 000002
【特許請求の範囲】
【請求項１】
折り畳むように、フライパン３の鍵状の凸部アーム４に、凹部のアーム２を、差し込み、安定金具６と７を、レールに、受け棒アーム５の両側にスライドさせて取り付け、取り外せるようにする。フライパンの柄と鍋の装着装置。
【請求項２】
［図６］のように、輪柄フライパンの柄の取っ手の中に、真棒を設け二重にする。その真棒８を輪柄の取っ手１の中で管の中のワイヤー１１で、輪柄の中の真棒を回転させ凹部のアーム２を、吊り上げて、フライパンを振る操作をする装置。
【発明の詳細な説明】
【技術分野】
【０００１】  本発明は炒め物を作る時掻き回すフライパンの装置である。
【背景技術】
【０００２】  従来、各職種において掻き回す道具は数多くあったが、フライパンは、油汚れ、高温と悪条件が重なり常に手入れの必要なもので、掻き回す装置があると却って邪魔になることがあった。そのため改良されず現在も手で振る操作で炒め物をしていた。
【特許文献】特願２００６−９２２６９  特願２００５−２０２２２５  特願２００５−１０６７２３  特開２０１３−２２４４４
【発明の開示】
【発明が解決しようとする課題】
【０００３】  業務用は、中華鍋で炒め物をしていた。フライパンを振るということは、フライパンの重さと中の材料の重さで、楽に掻き回すことができなかった。油汚れ、高温度、実現可能構造、装着所要時間、コストなどの課題を解決するものである。【０００４】  火の近くで振るということは、油汚れ高温とで、理想的ではないが、従来のまま柄長のフライパンにすると重心の位置が移動するのでフライパンが重たくなる。この掻き回し操作の課題を輪柄にして、解決しようとするものである。
【課題を解決するための手段】
【０００５】  本発明の輪柄フライパンは、装着させる所要時間を、実現可能構造にする。フライパンの柄１を手前として、向側をフライパン３とする。そのフライパン３と柄１の間に、柄から吊り下げた位置に、凹部のアーム２を設ける。【０００６】  柄１の下部に、フライパンと柄を安定させるための受け棒アーム５を設ける。フライパン３に鍵状の凸部のアーム４を取り付ける。【０００７】［図４］のように、柄１を持ち上げ、フライパン３の鍵状の凸部アーム４に、凹部のアーム２を、差し込み［図２］の安定金具６と７を、レールに［図１］の柄１を、受け棒アーム５の両側にスライドさせて取り付け、取り外せるようにする。柄１の受け棒５と凹部のアーム２の弾性を利用して、挟み合せて、柄１の輪がバネになりフライパンを持ち上げ、噛み合せ、柄とフライパンを固定する。【０００８】  輪柄を、大きくすることで、遠くから、吊るされた状態の位置で、楽にフライパンを振ることが出来るようになる。【０００９】  ［図４］のように、柄１を持ち上げ受け棒５を上部に回して、折り畳み、ワンタッチで簡単に、取り外せるようにする、その次のフライパンに取り外した柄を、折り畳み取り付けて炒め物を振る操作を、吊るされた状態の位置で、遠くから楽に、操作できるようになる。【００１０】  本発明の輪柄フライパンは、レバー、足踏み、モーターにも利用可能である。［図５］のようにフライパンの柄の取っ手の中に、真棒を設け二重にする。その真棒８を輪柄の取っ手１の中で管の中のワイヤー１１で回転するように取り付ける。レバーは下部に回転盤を設け、足踏み、モーターは、［図６］のように柄の下部に、管の中のワイヤーで、凹部のアーム２を、吊り上げ輪柄の真棒８を、回転させて、フライパンの向こう側を持ち上げて振る操作が、できるようになる。
【発明の効果】
【００１１】  本発明により、レバー、足踏み、モーターは、ワイヤーで、輪柄の中の真棒を回転させて、遠くから、吊るされた状態の位置で、軽く持って、楽にフライパンを振ることが出来る。フライパンの柄を、簡単に、ワンタッチで、折り畳み取り外せるようにすることで、収納と、手入れが便利である。
【発明を実施するための最良の形態】
【００１２】  柄１を持ち上げ  フライパン３の鍵状の凸部アーム４に、凹部のアーム２を、差し込み、安定金具６と７を、レールに、受け棒アーム５の両側にスライドさせて取り付け、取り外せるようにする。受け棒５と凹部のアーム２の弾性を利用して、挟み合せて、柄１の輪がバネになりフライパンを持ち上げ、噛み合せ、柄とフライパンを、固定する。【００１３】  ［図５］のように、レバーフライパンは、フライパンの柄の取っ手の下部に回転盤１０を設け、アーム２に取り付けたワイヤー１１を、回転盤の穴１２に取り付け連結する。レバーを挟み、管の中のワイヤー１１で、凹部のアーム２を、吊り上げ輪柄の真棒８を、回転させる。足踏み、モーターは、［図６］のように、管の中のワイヤー１１で、凹部のアーム２を、吊り上げ輪柄の真棒８を、回転させて、フライパンの向こう側を持ち上げて炒め物を振る操作が、できるようになる。
【図面の簡単な説明】
【００１４】
【図１】  柄１の斜視図
【図２】  フライパン３の斜視図
【図３】  柄１をフライパンに操着した状態の斜視図
【図４】  フライパンの柄を、折り畳み、取り付け、取り外す状態の斜視図
【図５】  レバー式、の側面図                一部断面図
【図６】  足踏み、モーター式、の側面図      一部断面図
【符号の説明】
【００１５】  １    柄  （取っ手）
２    凹部のアーム
３    フライパン  （鍋）
４    凸部アーム
５    受け棒
６    安定金具  レール
７    安定金具  レール
８    真棒
９    レバー
１０    回転盤
１１    ワイヤー
１２    ワイヤー取り付け凹部
１３    モーター
１４    足踏み
【図１】
2015186559.tif 000003
【図２】
2015186559.tif 000004
【図３】
2015186559.tif 000005
【図４】
2015186559.tif 000006
【図５】
2015186559.tif 000007
【図６】
2015186559.tif 000008
【手続補正書】
【提出日】平成26年4月23日(2014.4.23)
【手続補正１】
【補正対象書類名】図面
【補正対象項目名】全図
【補正方法】変更
【補正の内容】
【図１】
2015186559.tif 000009
【図２】
2015186559.tif 000010
【図３】
2015186559.tif 000011
【図４】
2015186559.tif 000012
【図５】
2015186559.tif 000013
【図６】
2015186559.tif 000014
【手続補正書】
【提出日】平成26年6月13日(2014.6.13)
【手続補正１】
【補正対象書類名】図面
【補正対象項目名】全図
【補正方法】変更
【補正の内容】
【図１】
2015186559.tif 000015
【図２】
2015186559.tif 000016
【図３】
2015186559.tif 000017
【図４】
2015186559.tif 000018
【図５】
2015186559.tif 000019
【図６】
2015186559.tif 000020